(57)【特許請求の範囲】
【請求項１】
両側壁に別々に少なくとも一つの固定孔を設けたデータファイルを固定することに用いられるデータファイル固定装置であって、
一端に順次に第一旋回部及び第二旋回部が設けられた第一側板と、
第二側板及び前記第二側板の一端に位置し且つ前記第二側板に直交する梁を備えるブラケットと、
前記第一側板の第二旋回部にピボットされると共に前記梁に定位することができるパネルモジュールと、
を備え、前記梁の端末が前記第一側板の第一旋回部にピボットされ、前記第一側板及び前記第二側板に別々に前記データファイルの固定孔に対応するように挿入することができる少なくとも一つの固定部品が設けられ、
前記パネルモジュールは、前記ブラケットの梁に向かう壁面を備え、前記壁面にラッチバーを形成し、前記ラッチバーは、前記壁面から伸び出し且つ前記壁面に直交し、前記ラッチバーの側面に楔形のブロックが設けられ、前記ブラケットの梁に前記ラッチバーのブロックを係合するための係合板が設けられることを特徴とするデータファイル固定装置。
【請求項２】
前記第一側板の第一旋回部は、前記第一側板に直交する一対のタブを備え、各タブに別々に一つの旋回穴が設けられ、前記ブラケットの梁の端末に旋回部を形成し、前記旋回部は、一対のタブを備え、各タブに別々に一つの旋回穴が設けられ、前記第一側板のタブは、前記ブラケットの一対のタブの間に収容され、一つのシャフトが前記第一側板の旋回穴及び前記ブラケットの旋回穴に装着されることを特徴とする請求項１に記載のデータファイル固定装置。
【請求項３】
前記第一側板の第二旋回部は、前記第一側板に直交する一対のタブを備え、各タブに別々に一つの旋回穴が設けられ、前記パネルモジュールの一端に旋回穴を有する旋回部を形成し、一つのシャフトが前記第一側板の旋回穴及び前記パネルモジュールの旋回穴に装着されることを特徴とする請求項１に記載のデータファイル固定装置。
【請求項４】
前記梁に近付く前記第二側板の一端が更に伸び出して係合部を形成し、前記係合部に係合スロットが設けられ、前記パネルモジュールの一端に係止部を形成し、前記係止部に前記係合スロットを係合するための係止板が設けられることを特徴とする請求項１に記載のデータファイル固定装置。
【請求項５】
前記第一側板及び前記第二側板に別々に少なくとも一つの取付け穴が設けられ、各固定部品は、前記データファイルの固定孔に挿入することができる固定ピン及び前記取付け穴に係合する係合キャップを備えることを特徴とする請求項１に記載のデータファイル固定装置。
【請求項６】
前記係合キャップは、係止部と、前記係止部の上に設けられる円柱部及び前記円柱部の両側に設けられる楔形のブロックを備え、前記第一側板及び前記第二側板の取付け穴は、前記固定部品の係止部を係止するための第一窪みと、前記固定部品のブロックを収容するための第二窪み及び前記第一窪みと前記第二窪みを貫いて前記固定部品の円柱部を覆う通孔を備えることを特徴とする請求項５に記載のデータファイル固定装置。
【請求項７】
前記係合キャップは、弾性材料からなることを特徴とする請求項５に記載のデータファイル固定装置。
【発明の詳細な説明】
【技術分野】
【０００１】
本発明は、データファイル固定装置に関するものである。
【背景技術】
【０００２】
従来の技術において、一般的にハードディスク、フロッピー(登録商標)ディスク、光学ドライブなどのデータファイルを固定架に収容してから、更にねじによってこれらのデータファイルを固定架に固定する。又は先ずねじによってデータファイルの両側壁に一対のスライド・レールを固定し、スライド・レールを介してデータファイルを固定架内にスライドして固定する。しかし、データファイルを組み立てるか分解する場合、多くのねじを螺着するか取り除かなければならないため、過程が複雑で操作が不便だ。
【発明の開示】
【発明が解決しようとする課題】
【０００３】
本発明の目的は、前記課題を解決し、便利に組み立てるか分解することができるデータファイル固定装置を提供することである。
【課題を解決するための手段】
【０００４】
前記目的を達成するため、本発明に係るデータファイル固定装置は、両側壁に別々に少なくとも一つの固定孔を設けたデータファイルを固定することに用いられる。前記データファイル固定装置は、第一側板と、ブラケット及びパネルモジュールを備え、前記第一側板の一端に順次に第一旋回部及び第二旋回部が設けられ、前記ブラケットは、第二側板及び前記第二側板の一端に位置し且つ前記第二側板に直交する梁を備え、前記梁の端末が前記第一側板の第一旋回部にピボットされ、前記パネルモジュールが前記第一側板の第二旋回部にピボットされると共に前記梁に定位することができ、前記第一側板及び前記第二側板に別々に前記データファイルの固定孔に対応するように挿入することができる少なくとも一つの固定部品が設けられる。
【発明の効果】
【０００５】
本発明に係るデータファイル固定装置において、ブラケットの梁の端末が第一側板の第一旋回部にピボットされ、パネルモジュールが前記第一側板の第二旋回部にピボットされると共に前記梁に定位されるため、データファイルを便利に組み立てるか分解することができる。
【発明を実施するための最良の形態】
【０００６】
以下、添付図面を参照しながら本発明を詳しく説明する。
【０００７】
図１及び図２を参照すると、本発明の実施形態に係るデータファイル固定装置は、データファイル１００を固定することに用いられる。データファイル固定装置は、第一側板２０と、ブラケット３０と、パネルモジュール４０と、若干の固定部品５０及び一対のシャフト６０を備える。
【０００８】
前記データファイル１００の両側壁に別々に二つの固定孔１２０を設ける。
【０００９】
前記第一側板２０に若干の取付け穴２３を設ける。各取付け穴２３は、皆前記第一側板２０の内側に設けられる比較的大きい長方形の第一窪み２３２と、前記第一側板２０の外側に設けられる比較的小さい第二窪み２３４及び前記第一窪み２３２及び前記第二窪み２３４を貫く通孔２３６を備える。前記第二窪み２３４は、円形領域及び前記円形領域の両側に設けられる長方形領域を備える。前記第一側板２０の一端に順次に第一旋回部２４及び第二旋回部２６を設ける。前記第一旋回部２４は、前記第一側板２０に直交する一対のタブ（ｔａｂ）２４２を備え、各タブ２４２に別々に一つの旋回穴２４４を設ける。前記第二旋回部２６は、前記第一側板２０に直交する一対のタブ２６２を備え、各タブ２６２に別々に一つの旋回穴２６４を設ける。
【００１０】
前記ブラケット３０は、大体Ｌ型であって、第二側板３２及び前記第二側板３２の一端に位置し且つ前記第二側板３２に直交する梁３４を備える。前記第二側板３２の構造は、前記第一側板２０の構造と類似し、前記第二側板３２に若干の取付け穴３２２を設ける。前記取付け穴３２２の構造は、前記取付け穴２３の構造と同じである。前記梁３４に近付く前記第二側板３２の一端が更に伸び出して係合部３６を形成し、前記係合部３６に係合スロット３６２を設ける。前記梁３４に一対の開口を設け、且つ前記一対の開口の間に係合板３４２を形成する。前記梁３４の端末（前記第二側板３２から遠く離れる一端）に旋回部３８を形成し、前記旋回部３８は、一対のタブ３８２を備え、各タブ３８２に別々に一つの旋回穴３８４を設ける。
【００１１】
前記パネルモジュール４０は、本体４２及び取手４４を備える。前記本体４２は、長方形の枠組みであって、前記ブラケット３０の梁３４に向かう壁面（図示せず）を備え、前記壁面に弾性を有するラッチバー（ｌａｔｃｈ  ｂａｒ）４２２を形成し、前記ラッチバー４２２は、前記壁面から伸び出し且つ前記壁面に直交する。前記ラッチバー４２２の側面に楔形のブロック４２４を設ける。前記本体４２の一端に係止部４２６を形成し、前記係止部４２６は、水平の係止板４２７を備える。前記パネルモジュール４０は、前記本体４２の他の一端及び前記取手４４を貫く旋回穴４４２を更に備える。
【００１２】
各固定部品５０は、前記データファイル１００の固定孔１２０に挿入することができる固定ピン５２及び前記第一側板２０又は前記ブラケット３０に設けられた取付け穴２３，３２２に係合する係合キャップ５４を備える。前記係合キャップ５４は、長方形の係止部５４２、前記係止部５４２の上に設けられる円柱部５４４及び前記円柱部５４４の両側に設けられる楔形のブロック５４６を備える。前記固定ピン５２に対向する前記係合キャップ５４の一面に前記固定ピン５２を固定するための固定孔（図示せず）を設ける。前記係合キャップ５４は、弾性材料からなり、振動が前記データファイル１００に対する影響を効果的に緩衝することができる。
【００１３】
図３及び図４を参照すると、前記データファイル１００を組み立てる時、先ず、前記データファイル１００の固定孔１２０の位置に対応する前記第一側板２０及び前記ブラケット３０の２対の取付け穴２３，３２２を選択する。次に、前記第一側板２０の内側から１対の固定部品５０を対応する取付け穴２３に取り付けることにより、前記固定部品５０の円柱部５４４は、前記取付け穴２３の通孔２３６を貫いてから前記第二窪み２３４の円形領域に収容され、前記固定部品５０のブロック５４６は、前記第二窪み２３４の長方形領域に収容され、前記固定部品５０の係止部５４２は、前記第一窪み２３２に収容且係止される。同じような方式で他の1対の固定部品５０を前記ブラケット３０の取付け穴３２２に取り付ける。
【００１４】
前記第一側板２０の第一旋回部２４の一対のタブ２４２を前記ブラケット３０の旋回部３８の一対のタブ３８２の間に収容してから、前記第一側板２０の第一旋回部２４の旋回穴２４２及び前記ブラケット３０の旋回部３８の旋回穴３８４に一つのシャフト６０を装着することにより、前記ブラケット３０は、前記第一側板２０に対して旋回することができる。前記第一側板２０の第二旋回部２６の旋回穴２６４及び前記パネルモジュール４０の旋回穴４４２に他の一つのシャフト６０を装着することにより、前記パネルモジュール４０は、前記第一側板２０に対して旋回することができる。前記ブラケット３０の係合部３６の係合スロット３６２は、前記パネルモジュール４０の係止部４２６の係止板４２７に係合可能に係合する。前記パネルモジュール４０のラッチバー４２２は、前記ブラケット３０の梁３４を横切り、前記ラッチバー４２２のブロック４２４は、前記ブラケット３０の梁３４の係合板３４２に係合可能に係合する。
【００１５】
前記データファイル１００を固定する前に、先ず、一側に向かって前記パネルモジュール４０のラッチバー４２２を推進して、前記ラッチバー４２２の上のブロック４２４が前記係合板３４２から離れることにして、次に、前記ブラケット３０から遠く離れる方向に向かって前記パネルモジュール４０を旋回して、前記パネルモジュール４０の係止板４２７が前記ブラケット３０の係合スロット３６２から離れることにして、続いて前記第一側板２０から離れる方向に向かって前記ブラケット３０を旋回することにより、前記データファイル固定装置を開ける。
【００１６】
続いて、前記データファイル１００の一つの側壁の固定孔１２０を前記第一側板２０の固定部品５０に対面して、これらの固定部品５０の固定ピン５２を前記データファイル１００の一つの側壁の固定孔１２０に挿入し、前記データファイル１００の方向に向かって前記ブラケット３０を旋回し、前記ブラケット３０の固定部品５０の固定ピン５２を前記データファイル１００の他の一つの側壁の固定孔１２０に挿入し、前記データファイル１００の方向に向かって前記パネルモジュール４０を旋回し、前記ブラケット３０の係合部３６の係合スロット３６２を前記パネルモジュール４０の係止部４２６の係止板４２７に係合して、前記パネルモジュール４０のブロック４２４は、前記ブラケット３０の梁３４の係合板３４２に係合可能に係合することにより、前記データファイル１００を固定する。  
【００１７】
前記データファイル１００を分解する時、先ず、一側に向かって前記パネルモジュール４０のラッチバー４２２を推進して、前記ラッチバー４２２の上のブロック４２４が前記係合板３４２から離れることにして、次に、前記ブラケット３０から遠く離れる方向に向かって前記パネルモジュール４０を旋回して、前記パネルモジュール４０の係止板４２７が前記ブラケット３０の係合スロット３６２から離れることにして、最後、前記第一側板２０から離れる方向に向かって前記ブラケット３０を旋回すると、前記データファイル固定装置から前記データファイル１００を分解することができる。
【００１８】
以上本発明を実施例に基づいて具体的に説明したが、本発明は、上述の実施例に限定されるものではなく、その要旨を逸脱しない範囲において、種々変更可能であることは勿論であって、本発明の保護範囲は、特許請求の範囲から決まる。
【図面の簡単な説明】
【００１９】
【図１】本発明の実施形態に係るデータファイル固定装置の構造を示す立体分解図である。
【図２】本発明の実施形態に係るデータファイル固定装置の構造を示す立体分解図である。
【図３】本発明の実施形態に係るデータファイル固定装置の構造を示す立体組立図である。
【図４】本発明の実施形態に係るデータファイル固定装置の使用状態図である。
【符号の説明】
【００２０】
２０  第一側板
２３，３２２  取付け穴
２４  第一旋回部
２６  第二旋回部
３０  ブラケット
３２  第二側板
３４  梁
３６  係合部
３８  旋回部
４０  パネルモジュール
４２  本体
４４  取手
５０  固定部品
５２  固定ピン
５４  係合キャップ
６０  シャフト
１００  データファイル
１２０  固定孔
２３２  第一窪み
２３４  第二窪み
２３６  通孔
２４２，２６２，３８２  タブ
２４４，２６４，３８４，４４２  旋回穴
３４２  係合板
３６２  係合スロット
４２２  ラッチバー
４２４，５４６  ブロック
４２６，５４２  係止部
４２７  係止板
５４４  円柱部
【図１】
0005215085.tif 000002
【図２】
0005215085.tif 000003
【図３】
0005215085.tif 000004
【図４】
0005215085.tif 000005